(57)【要約】【課題】  保守作業を確実且つ容易に行うことが可能なエレベータの映像記録装置を提供する。【解決手段】  エレベータのかご内の映像を電気信号に変換する映像変換部４と、映像変換部で得られた電気信号をその時点の日時情報とともに記録する第１の記録媒体６と、映像変換部で得られた電気信号を記録する第２の記録媒体７と、エレベータの点検操作信号が入力される操作信号入力部３と、操作信号入力部に点検操作信号が入力したときに、第１の記録媒体に記録された少なくとも１フレーム以上の映像の電気信号を対応する日時情報とともに第２の記録媒体に記録する記録処理部５とを備える。【選択図】図１
2012056693.tif 000002
【特許請求の範囲】
【請求項１】
エレベータのかご内の映像を電気信号に変換する映像変換部と、
前記映像変換部で得られた電気信号をその時点の日時情報とともに記録する第１の記録媒体と、
前記映像変換部で得られた電気信号を記録する第２の記録媒体と、
エレベータの点検操作信号が入力される操作信号入力部と、
前記操作信号入力部に前記点検操作信号が入力したときに、前記第１の記録媒体に記録された少なくとも１フレーム以上の映像の電気信号を対応する日時情報とともに前記第２の記録媒体に記録する記録処理部と、
を備えたことを特徴とするエレベータの映像記録装置。
【請求項２】
前記記録処理部は、前記少なくとも１フレーム以上の映像の電気信号として、前記操作信号入力部に前記点検操作信号が入力した時点よりも後の少なくとも１フレーム以上の映像の電気信号を前記第２の記録媒体に記録する
ことを特徴とする請求項１に記載のエレベータの映像記録装置。
【請求項３】
前記第２の記録媒体は着脱可能である
ことを特徴とする請求項１に記載のエレベータの映像記録装置。
【請求項４】
前記記録処理部は、エレベータの点検終了信号が入力された時点を起点としエレベータに対する戸開信号が入力されてから所定時間経過した時点を終点とする期間中に前記第１の記録媒体に記録された少なくとも１フレーム以上の映像の電気信号を、対応する日時情報とともに前記第２の記録媒体に記録する
ことを特徴とする請求項１に記載のエレベータの映像記録装置。
【発明の詳細な説明】
【技術分野】
【０００１】
本発明の実施形態は、エレベータの映像記録装置に関する。
【背景技術】
【０００２】
近年、防犯目的で監視カメラを設置する共同住宅が増えてきている。特にエレベータのかご内は犯罪が発生しやすいため、監視カメラ設置の要求が多い。
【０００３】
エレベータのかご内の監視カメラの点検作業は通常、エレベータ保守会社がエレベータを点検する際に同時に行われる。監視カメラの点検作業には、外観検査の他、映像の記録動作が停止していないか、ノイズ等の影響によって映像が乱れていないかといった、記録映像の再生確認作業が含まれる。記録映像の再生確認作業は、ハードディスクや半導体メモリで構成されエレベータのかご上や管理人室に設置された記録装置に記録された映像信号を、記録装置に接続された専用モニタや作業用ハンドへルドターミナル（ＨＨＴ）を用いて再生することによって行われる。
【先行技術文献】
【特許文献】
【０００４】
【特許文献１】特開２００４−２８４７５３号公報
【特許文献２】特開平１１−１２７４３４号公報
【発明の概要】
【発明が解決しようとする課題】
【０００５】
しかしながら、通常の記録装置では、再生動作を行う際に映像記録動作を停止させるため、確認作業終了後に記録動作を再開するための操作（復帰操作）を行う必要がある。この復帰操作を保守作業員が忘れてしまうと、映像記録が再開されないこととなり、防犯機器としての役割を果たすことができなくなってしまう。また、専用モニタやＨＨＴを記録装置に接続する作業や、確認作業終了後に接続を解除する作業等が必要であり、保守作業員の作業工数が多くなるといった問題もある。
【０００６】
このように、従来のエレベータの映像記録装置では、保守作業を確実且つ容易に行うことが困難であった。
【０００７】
したがって、保守作業を確実且つ容易に行うことが可能なエレベータの映像記録装置が求められる。
【課題を解決するための手段】
【０００８】
実施形態に係るエレベータの映像記録装置は、エレベータのかご内の映像を電気信号に変換する映像変換部と、前記映像変換部で得られた電気信号をその時点の日時情報とともに記録する第１の記録媒体と、前記映像変換部で得られた電気信号を記録する第２の記録媒体と、エレベータの点検操作信号が入力される操作信号入力部と、前記操作信号入力部に前記点検操作信号が入力したときに、前記第１の記録媒体に記録された少なくとも１フレーム以上の映像の電気信号を対応する日時情報とともに前記第２の記録媒体に記録する記録処理部と、を備える。
【図面の簡単な説明】
【０００９】
【図１】第１の実施形態に係るエレベータの映像記録装置の基本的な構成を示したブロック図である。
【図２】第１の実施形態に係るカメラユニットの外観構成を示した図である。
【図３】第１の実施形態に係り、エレベータに映像記録装置を取り付けた状態を示した図である。
【図４】第２の実施形態の動作を示したフローチャートである。
【発明を実施するための形態】
【００１０】
以下、実施形態を図面を参照して説明する。
【００１１】
（実施形態１）
図１は、第１の実施形態に係るエレベータの映像記録装置の基本的な構成を示したブロック図である。図２は、図１に示したカメラユニットの外観構成を示した図である。図３は、エレベータに本実施形態の映像記録装置を取り付けた状態を示した図である。
【００１２】
まず、本実施形態に係るエレベータの映像記録装置の全体構成について説明する。
【００１３】
エレベータのかご内に設置されるカメラユニット１には、レンズ２、操作信号入力部３、映像変換部４、記録処理部５、メモリカード（第２の記録媒体）７及び動作状態表示ＬＥＤ８が含まれている。
【００１４】
操作信号入力部３、映像変換部４及び記録処理部５は、ＣＰＵ、ＲＯＭ、ＲＡＭ及びカレンダーＩＣ等を有する制御基板（図示せず）上で動作する機能であり、主として制御基板内のＲＯＭに格納されたソフトウェアプログラムで実現される。
【００１５】
上記制御基板は、エレベータ機械室や昇降路内に設置されたエレベータ制御装置（図示せず）に接続ケーブル９によって接続され、エレベータ制御装置からの信号を受信するＤＩ入力又はシリアル送受信機能を備えており、エレベータの状態信号を受信して、操作信号入力部３がこれを処理する。
【００１６】
メモリカード７は、カードスロット等により、カメラユニット１に対して着脱可能である。
【００１７】
カメラユニット１には映像ケーブル１０を介してハードディスク（第１の記録媒体）６が接続されており、このハードディスク６はかご１１上に設置されている。なお、記録情報の盗難防止措置が適切にとられていれば、ハードディスク６をカメラユニット１に内蔵させてもよい。また、ここでは第１の記録媒体として記憶容量の大きいハードディスクを用いているが、半導体メモリの大容量化に伴い、ＳＳＤ（Solid State Disk）等の記録媒体を用いることも可能である。
【００１８】
次に、上述した各部の処理について説明する。
【００１９】
エレベータのかご１１内の映像は、映像変換部４によって電気信号に変換される。具体的には、かご１１内の映像は、ＣＣＤイメージセンサやＣＭＯＳイメージセンサ等を用いて映像変換部４で電気信号に光電変換される。さらに、映像変換部４は、イメージセンサで得られたデジタル情報をＴＩＦＦ、ＪＰＥＧ、モーションＪＰＥＧ等の画像記録フォーマットに変換する。映像変換部４によって得られた映像情報（電気信号）は、記録処理部５でカレンダーＩＣからのその時点の日時情報が付加され、日時情報とともにハードディスク６に格納される。以上が、通常の映像記録における各部の処理動作である。
【００２０】
次に、保守作業員が点検作業を行う際の各部の処理について説明する。
【００２１】
エレベータには一般に、点検作業中に一般利用者によってエレベータが動作しないようにするため、点検モードスイッチが、エレベータ制御装置内、かご上、昇降路下部、或いはかご操作盤内等に設置されている。点検モードスイッチが操作されると、エレベータは点検モードに移行し、乗場やかご内に設置された呼び登録装置からの入力を受け付けないようになる。保守作業員は、エレベータの点検作業を行う際には、点検モードスイッチを操作して点検モードに移行した後、保守点検作業を実施する。
【００２２】
点検モードスイッチが操作されると、エレベータ制御装置は、カメラユニット１に対して、点検モードに移行したことを示す信号すなわち点検操作信号を出力する。点検操作信号が入力された操作信号入力部３は、記録処理部５に対して、記録映像複写指令を出力する。記録処理部５は、記録映像複写指令が入力されると、ハードディスク６に記録されている記録映像（電気信号）のうち、その時点で最も新しい日時情報が付加された記録映像を探索し、その記録映像を対応する日時情報とともにメモリカード７に記録する。なお、この映像複写の際には、最も日時情報が新しい１フレームの記録映像を記録してもよいが、一般的には、少なくとも１フレーム以上の記録映像を対応する日時情報とともにメモリカード７に記録することが可能である。例えば、日時情報が新しい順に、複数フレーム（例えば３フレーム）の記録映像をメモリカード７に記録するようにしてもよい。また、メモリカード７に記録する少なくとも１フレーム以上の記録映像としては、操作信号入力部３に点検操作信号が入力した時点よりも後の少なくとも１フレーム以上の記録映像を用いることが好ましい。このように、点検操作信号が入力した時点よりも後の記録映像を用いることで、点検操作時の直前の状態を確認することができる。
【００２３】
なお、上述した映像複写機能と通常の映像記録機能とは、記録処理部５内で互いに独立したタスクとして機能分離され、マルチタスク処理されるようにしておくことが好ましい。これにより、記録処理部５が映像複写処理を実行中であっても、通常の映像記録処理を並行して実行することができる。
【００２４】
上述した構成を採用することで、保守作業員がエレベータの点検作業を開始することにより監視カメラの記録映像が自動的にメモリカード７に複写される。保守作業員は、エレベータの点検作業が終了したときにメモリカード７を抜き取るだけで、簡単に監視カメラの記録映像を取り出すことができる。取り出したメモリカード７に格納された映像をＨＨＴなどの携帯端末を使ってその場で確認したり、メモリカード７を営業所に持ち帰って点検報告書を作成する際に映像を確認したりすることができる。メモリカード７を営業所に持ち帰る場合には、次回の点検に備えて代替のメモリカードをカメラユニットのメモリカードスロットに挿入しておくことが好ましい。
【００２５】
以上のように、本実施形態によれば、点検操作信号を入力することにより、ハードディスク（第１の記録媒体）への記録動作を停止させることなく、ハードディスクに記録されていた記録映像（映像の電気信号）がメモリカード（第２の記録媒体）に自動的に記録されるので、保守作業員は点検作業終了後に記録動作を再開するための復帰操作を特に行う必要がない。そのため、点検作業終了後に映像記録が再開されないといった問題を確実に防止することができる。また、保守作業員は、特別な作業を行うことなく、メモリカードを抜き取るだけでよいため、作業工数を低減することができる。したがって、本実施形態によれば、保守作業を確実且つ容易に行うことが可能となる。
【００２６】
（実施形態２）
次に、第２の実施形態について説明する。なお、エレベータの映像記録装置の基本的な構成は図１等に示した構成と同様である。また、基本的な動作も第１の実施形態と同様である。したがって、第１の実施形態で示した事項についての説明は省略する。
【００２７】
図４は、本実施形態の動作を示したフローチャートである。以下、このフローチャートに基づいて本実施形態の動作を説明する。
【００２８】
まず、点検モードに移行したか否かが判断される（Ｓ１）。すなわち、操作信号入力部３がエレベータ制御装置から送信された点検操作信号を受信したか否かが判断され、点検操作信号を受信したと判断されると点検モードに移行する。操作信号入力部３は、記録処理部５に対して記録映像複写指令を送出する。記録処理部５は、ハードディスク６に記録されている記録映像のうち、その時点で最も新しい日時情報が付与された記録映像の１フレームを、その日時情報とともにメモリカード７に複写する（Ｓ２）。
【００２９】
その後、点検モード終了であるか否かが判断される（Ｓ３）。すなわち、操作信号入力部３がエレベータ制御装置から送信された点検終了信号を受信したか否かが判断され、点検終了信号を受信したと判断されると点検モード終了となる。点検モード終了となった後、エレベータ制御装置からの戸開開始信号の立ち上がりエッジが検出されたか否かが判断される（Ｓ４）。戸開開始信号の立ち上がりエッジが検出されない場合には、Ｓ２のステップと同様に、最も新しい日時情報が付与された記録映像の１フレームを、その日時情報とともにメモリカード７に複写する（Ｓ６）。
【００３０】
戸開開始信号の立ち上がりエッジが検出された場合には、記録処理部５はソフトウェア内部のタイマーをスタートさせる（Ｓ５）。タイマーは、戸開信号（戸開開始信号）が入力されてからの一定時間（所定時間）を計測するように設定されている。タイマーがスタートした後も、上述したＳ６のステップが実行され、さらにタイマーの設定時間が終了したか否かが判断される（Ｓ７）。すなわち、戸開信号が入力されてから所定時間が経過したか否かが判断される。所定時間が経過していない場合には、Ｓ４のステップに戻り、所定時間が経過するまで、最新映像のメモリカード７への複写作業を繰り返す。所定時間が経過すると（タイマーの設定時間が終了すると）、処理は終了する。
【００３１】
上述した説明からわかるように、点検モードが終了した後も、タイマーの設定時間が終了するまで、ハードディスク６からメモリカード７への複写作業は実行される。すなわち、記録処理部５は、エレベータの点検終了信号が入力された時点を起点としエレベータに対する戸開信号が入力されてから所定時間経過した時点を終点とする期間中にハードディスク（第１の記録媒体）６に記録された少なくとも１フレーム以上の映像の電気信号を、対応する日時情報とともにメモリカード（第２の記録媒体）７に記録する。これにより、エレベータの点検が終了した後、保守作業員がエレベータを戸開してかご内に乗り込む際に、その様子を監視カメラで撮影して、その映像をハードディスク６からメモリカード７へ複写することができる。保守作業員は、メモリカード７へ複写された映像を確認することで、点検作業が終了した後に映像記録装置が正常に動作していることを確認することが可能である。
【００３２】
なお、タイマーがスタートしてから終了するまでの時間（所定時間）は、任意に定めることができるが、例えば５秒程度が好ましい。その理由は、戸開したエレベータに保守作業員が乗り込む様子を数フレーム撮影するために、５秒程度の時間があれば十分と考えられるからである。一般的なエレベータの監視カメラのフレームレートは１フレーム／秒程度であるため、ターマーの設定時間は２〜５秒程度でよい。
【００３３】
以上のように、本実施形態では、点検終了後に、メモリカードに複写された映像によって映像記録装置が正常に動作していることを確認することができるため、保守作業を確実且つ容易に行うことが可能となる。
【００３４】
上述した第１及び第２の実施形態によれば、保守作業を確実且つ容易に行うことが可能なエレベータの映像記録装置を提供することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…カメラユニット      ２…レンズ      ３…操作信号入力部
４…映像変換部      ５…記録処理部      ６…ハードディスク
７…メモリカード      ８…動作状態表示ＬＥＤ      ９…接続ケーブル
１０…映像ケーブル      １１…かご
【図１】
2012056693.tif 000003
【図２】
2012056693.tif 000004
【図３】
2012056693.tif 000005
【図４】
2012056693.tif 000006